(57)【要約】      （修正有）【課題】押入れなどの十分な収納スペースがない場合でも、収納に苦慮しない布団用圧縮収納具を提供することである。【解決手段】布団Ｆの畳まれた形状を維持するためのシート状の布状部材２０と、外部に設けられた部材Ｐに布団用圧縮収納具１０を吊り下げるための吊下げ手段３２０と、布団圧縮部と、吊下げ手段配設部１２２とを含む圧縮袋１２０とを備え、布状部材２０は、一方の端縁と、一方の端縁に相対する他方の端縁とを含み、一方の端縁と他方の端縁とは、互いに係合するための雌面ファスナー２２Ｌ，２２Ｒ、雄面ファスナーを有し、ハンガー３２０は、その軸部材３２２が上端辺近傍固着部１５６と上端辺固着部１５８の間に形成される空間に配設され、且つそのフック部材３３２が貫通孔１８０を通って圧縮袋１２０の外部に延びるように配設される。【選択図】図１
0003198997.tif 000002
【実用新案登録請求の範囲】
【請求項１】
布団をコンパクトに圧縮して収納するための布団用圧縮収納具であって、
前記布団の畳まれた形状を維持するためのシート状の形状維持手段と、
外部に設けられた部材に前記布団用圧縮収納具を吊り下げるための吊下げ手段と、
前記畳まれた形状の布団を詰め込んで密閉し、圧縮するための布団圧縮部と、前記吊下げ手段を配設するための吊下げ手段配設部とを含む圧縮袋とを備え、
前記形状維持手段は、
一方の端縁と、前記一方の端縁に相対する他方の端縁とを含み、
前記一方の端縁と前記他方の端縁とは、互いに係合するための係合手段を有し、
前記吊下げ手段は、
前記吊下げ手段配設部の内部に配設される軸部材と、
前記軸部材の略中央に配設され、前記吊下げ手段配設部の外部に延びるフック部材とを含み、
前記圧縮袋の布団圧縮部は、
相対する第１の端辺および第２の端辺、並びに相対する第３の端辺および第４の端辺を形成するように互いに重ね合わされた一方のシート部材および他方のシート部材と、
前記布団圧縮部の内部から外部に空気を排出する排出口を有し、且つ前記布団圧縮部の外部から内部への空気の流入を遮断する扁平状の逆流防止部とを有し、
前記一方のシート部材と前記他方のシート部材は、
前記第１の端辺において互いに固着された第１の固着部と、
前記第２の端辺において互いに固着された第２の固着部と、
前記第３の端辺において形成され、その端縁に前記布団圧縮部を密閉するための開閉手段を有する開口部と、
前記第４の端辺において互いに固着された第３の固着部とを有し、
前記圧縮袋の吊下げ手段配設部は、
前記第４の端辺において前記一方のシート部材に一体的に連設された一方の連設シート部材と、前記第４の端辺において前記他方のシート部材に一体的に連設された他方の連設シート部材とを有し、
前記一方の連設シート部材と前記他方の連設シート部材とは、互いに重ね合わされ、前記第３の固着部と並列して延びるように互いに固着された第４の固着部を有し、前記第４の固着部が延びる方向の略中央には貫通孔が形成され、
前記吊下げ手段は、その前記軸部材が前記第３の固着部と前記第４の固着部の間に形成される空間に配設され、且つその前記フック部材が前記貫通孔を通って前記圧縮袋の外部に延びるように配設された、布団用圧縮収納具。
【請求項２】
布団をコンパクトに圧縮して収納するための布団用圧縮収納具であって、
前記布団の畳まれた形状を維持するためのシート状の形状維持手段と、
外部に設けられた部材に前記布団用圧縮収納具を吊り下げるための吊下げ手段と、
前記畳まれた形状の布団を詰め込んで密閉し、圧縮するための布団圧縮部と、前記吊下げ手段を配設するための吊下げ手段配設部とを含む圧縮袋とを備え、
前記形状維持手段は、
一方の端縁と、前記一方の端縁に相対する他方の端縁とを含み、
前記一方の端縁と前記他方の端縁とは、互いに係合するための係合手段を有し、
前記吊下げ手段は、
前記吊下げ手段配設部の内部に配設される軸部材と、
前記軸部材の略中央に配設され、前記吊下げ手段配設部の外部に延びるフック部材とを含み、
前記圧縮袋の布団圧縮部は、
相対する第１の端辺および第２の端辺、並びに相対する第３の端辺および第４の端辺を形成するように互いに重ね合わされた一方のシート部材および他方のシート部材と、
前記布団圧縮部の内部から外部に空気を排出する排出口を有し、且つ前記布団圧縮部の外部から内部への空気の流入を遮断する扁平状の逆流防止部とを有し、
前記一方のシート部材と前記他方のシート部材は、
前記第１の端辺において互いに固着された第１の固着部と、
前記第２の端辺において互いに固着された第２の固着部と、
前記第１の端辺と前記第２の端辺とを結ぶように、前記第３の端辺に亘って形成され、その端縁に前記布団圧縮部を密閉するための開閉手段を有する開口部と、
前記第４の端辺において互いに固着された第３の固着部とを有し、
前記圧縮袋の吊下げ手段配設部は、
その一方の端辺が前記一方のシート部材に前記第３の固着部に沿って一体的に連設され、且つその他方の端辺が前記他方のシート部材に前記第３の固着部に沿って一体的に連設された連設シート部材を有し、
前記連設シート部材は、前記第３の固着部に相対する折返し部を有し、前記折返し部は、前記圧縮袋の前記第１の端辺からの距離と前記第２の端辺からの距離が等しくなる部分に貫通孔を有し、
前記吊下げ手段は、その前記軸部材が、前記連設シート部材の前記折返し部と前記第３の固着部との間に形成される空間に配設され、且つその前記フック部材が前記貫通孔を通って前記圧縮袋の外部に延びるように配設された、布団用圧縮収納具。
【請求項３】
前記吊下げ手段配設部は、前記布団圧縮部の第１の端辺および第２の端辺と直交または交差する方向に延びる第４の固着部または折返し部を有し、
前記吊下げ手段配設部に配設された前記吊下げ手段の軸部材が前記第１の端辺および前記第２の端辺と直交または交差する方向に延びて、前記吊下げ手段によって外部に設けられた部材に吊下げられた前記布団用圧縮収納具は、鉛直方向に吊下げられるように構成された、請求項２に記載の布団用圧縮収納具。
【請求項４】
前記形状維持手段は、前記布団を包み込んで前記開口部から前記布団圧縮部に挿入することができるように、平面視略四角形状の柔軟な布状部材が折り畳まれた前記布団の外を包み込み、前記布状部材の一方の端縁に間隙をおいて取り付けられた左右対称又は複数の雌面ファスナーと、前記布状部材の他方の端縁に間隙をおいて連設された左右対称又は複数の帯状部材それぞれの先端に取り付けられた雄面ファスナーとが係合して、前記畳まれた布団の形状を維持し、前記布団圧縮部に詰め込まれた布団が形状維持手段とともに圧縮されるように構成された、請求項２または３に記載の布団用圧縮収納具。
【請求項５】
前記排出口は、前記圧縮袋の前記第１の端辺と前記第４の端辺とで形成される角部、および前記第２の端辺と前記第４の端辺とで形成される角部の少なくとも一つに配設され、
前記圧縮袋は、前記圧縮袋に前記畳まれた形状を維持して詰め込まれた布団と前記排出口とを所望の距離だけ離間させるため、前記排出口の近傍において、前記一方のシート部材と前記他方のシート部材とをドット状に固着する第５の固着部をさらに含み、
前記逆流防止部は、前記圧縮袋および前記圧縮袋に前記畳まれた形状を維持して詰め込まれた布団を押圧して前記排出口から空気を排出することにより圧縮した後、前記布団が周囲の空気を吸い込むことで前記一方のシート部材と前記他方のシート部材とが前記所望の距離の部分で互いに吸着しあうことにより作用する、請求項１〜４のいずれかに記載の布団用圧縮収納具。
【請求項６】
前記逆流防止部は、高さが低い平盤型であり、前記排出口が形成され、且つ前記一方のシート部材または前記他方のシート部材の外面から内面に亘って取り付けられた下受け部材と、
前記下受け部材に取り付けられた可撓性を有する弁部材と、
前記弁部材の上面を覆うように前記下受け部材に取り付けられたカバー部材とを含み、
前記逆流防止部は、その高さ方向が前記一方のシート部材または前記他方のシート部材の外面に直交または交差する方向に向かうように前記一方のシート部材または前記他方のシート部材に取り付けられた、請求項１〜５のいずれかに記載の布団用圧縮収納具。
【請求項７】
前記第４の固着部の幅寸法は、前記第４の固着部の長さ方向にのびる軸部材により保持されるように、前記第１の固着部、前記第２の固着部および前記第３の固着部の幅寸法よりも大きい、請求項１または６に記載の布団用圧縮収納具。
【請求項８】
前記軸部材は、前記吊下げ手段配設部の長さ方向に延び、
前記布団を前記布団圧縮部に圧縮収納した圧縮袋を左右均等に吊下げるために、前記軸部材の略中央には嵌合孔が形成され、前記フック部材の一方の端部には、前記軸部材の嵌合孔に嵌合するための嵌合突部が形成された、請求項１〜７のいずれかに記載の布団用圧縮収納具。
【請求項９】
前記布団用圧縮収納具が前記外部に設けられた部材を有する収納空間に前記外部に吊下げて収納されたとき、
前記一方のシート部材と前記他方のシート部材とが重なり合う方向は、前記収納空間に前記布団用圧縮収納具やその他の被収納物が収納されて並ぶ方向と同じであり、
前記圧縮袋の第３の端辺および第４の端辺は、前記収納空間の奥行きと同じ方向に延び、
前記形状維持手段の一方の端縁および他方の端縁は、前記圧縮袋の第３の端辺および第４の端辺と鉛直な方向に延び、
前記圧縮袋の第３の端辺および第４の端辺の延びる方向の寸法は、５４ｃｍ以上６０ｃｍ以下である、請求項１〜８のいずれかに記載の布団用圧縮収納具。
【請求項１０】
前記形状維持手段は、前記布団を包み込んで前記開口部から前記布団圧縮部に挿入することができるように、平面視略四角形状の柔軟な布状部材が折り畳まれた前記布団の外を包み込み、
前記布状部材は、
一方の端縁に雌面ファスナーが取り付けられ、且つ折り畳まれた布団の外を包み込んだときに前記一方の端縁に対向する前記他方の端縁に雄面ファスナーが取り付けられ、
前記布団側の面とは反対側である外側の面が、前記圧縮袋の前記布団圧縮部を構成するシート部材の内側の面と向き合うように形成された、請求項１〜９のいずれかに記載の布団用圧縮収納具。
【考案の詳細な説明】
【技術分野】
【０００１】
この考案は、布団用圧縮収納具に関し、特に例えば、布団を圧縮してコンパクトに収納するための布団用圧縮収納具に関する。
【背景技術】
【０００２】
従来から、布団を圧縮してコンパクトに収納するための布団用圧縮収納具が知られている。このような布団用圧縮収納具として、例えば、特許文献１に開示された吸引密封式圧縮収納袋がある。特許文献１には、重ね合わされた２枚の樹脂フィルムの３辺が熱融着されて形成された矩形の収納袋と、残る１辺に開閉ファスナーが備えられて形成された出し入れ口と、該収納袋に設けられた逆止弁を有する吸引口とを備え、該樹脂フィルムにアルミ蒸着樹脂フィルムを用いる吸引密封式圧縮収納袋が記載されている。
【先行技術文献】
【特許文献】
【０００３】
【特許文献１】特開２００７−２０４０９７号公報
【考案の概要】
【考案が解決しようとする課題】
【０００４】
特許文献１に記載の吸引密封式圧縮収納袋は、布団を詰め込んで圧縮した後、押入れに収納することを前提としている。しかしながら、近年では押入れなどの十分な収納スペースがない住宅などが増えている。そして、このように押入れなどの十分な収納スペースがない場合、布団を圧縮した状態にしても、結局、その後の収納に苦慮するという問題があった。
【０００５】
それゆえに、この考案の主たる目的は、押入れなどの十分な収納スペースがない場合でも、収納に苦慮しない布団用圧縮収納具を提供することである。
【課題を解決するための手段】
【０００６】
この考案に係る布団用圧縮収納具は、布団をコンパクトに圧縮して収納するための布団用圧縮収納具であって、布団の畳まれた形状を維持するためのシート状の形状維持手段と、外部に設けられた部材に布団用圧縮収納具を吊り下げるための吊下げ手段と、畳まれた形状の布団を詰め込んで密閉し、圧縮するための布団圧縮部と、吊下げ手段を配設するための吊下げ手段配設部とを含む圧縮袋とを備え、形状維持手段は、一方の端縁と、一方の端縁に相対する他方の端縁とを含み、一方の端縁と他方の端縁とは、互いに係合するための係合手段を有し、吊下げ手段は、吊下げ手段配設部の内部に配設される軸部材と、軸部材の略中央に配設され、吊下げ手段配設部の外部に延びるフック部材とを含み、圧縮袋の布団圧縮部は、相対する第１の端辺および第２の端辺、並びに相対する第３の端辺および第４の端辺を形成するように互いに重ね合わされた一方のシート部材および他方のシート部材と、布団圧縮部の内部から外部に空気を排出する排出口を有し、且つ布団圧縮部の外部から内部への空気の流入を遮断する扁平状の逆流防止部とを有し、一方のシート部材と他方のシート部材は、第１の端辺において互いに固着された第１の固着部と、第２の端辺において互いに固着された第２の固着部と、第３の端辺において形成され、その端縁に布団圧縮部を密閉するための開閉手段を有する開口部と、第４の端辺において互いに固着された第３の固着部とを有し、圧縮袋の吊下げ手段配設部は、第４の端辺において一方のシート部材に一体的に連設された一方の連設シート部材と、第４の端辺において他方のシート部材に一体的に連設された他方の連設シート部材とを有し、一方の連設シート部材と他方の連設シート部材とは、互いに重ね合わされ、第３の固着部と並列して延びるように互いに固着された第４の固着部を有し、第４の固着部が延びる方向の略中央には貫通孔が形成され、吊下げ手段は、その軸部材が第３の固着部と第４の固着部の間に形成される空間に配設され、且つそのフック部材が貫通孔を通って圧縮袋の外部に延びるように配設された、布団用圧縮収納具である。
この考案に係る布団用圧縮収納具は、布団をコンパクトに圧縮して収納するための布団用圧縮収納具であって、布団の畳まれた形状を維持するためのシート状の形状維持手段と、外部に設けられた部材に布団用圧縮収納具を吊り下げるための吊下げ手段と、畳まれた形状の布団を詰め込んで密閉し、圧縮するための布団圧縮部と、吊下げ手段を配設するための吊下げ手段配設部とを含む圧縮袋とを備え、形状維持手段は、一方の端縁と、一方の端縁に相対する他方の端縁とを含み、一方の端縁と他方の端縁とは、互いに係合するための係合手段を有し、吊下げ手段は、吊下げ手段配設部の内部に配設される軸部材と、軸部材の略中央に配設され、吊下げ手段配設部の外部に延びるフック部材とを含み、圧縮袋の布団圧縮部は、相対する第１の端辺および第２の端辺、並びに相対する第３の端辺および第４の端辺を形成するように互いに重ね合わされた一方のシート部材および他方のシート部材と、布団圧縮部の内部から外部に空気を排出する排出口を有し、且つ布団圧縮部の外部から内部への空気の流入を遮断する扁平状の逆流防止部とを有し、一方のシート部材と他方のシート部材は、第１の端辺において互いに固着された第１の固着部と、第２の端辺において互いに固着された第２の固着部と、第１の端辺と第２の端辺とを結ぶように、第３の端辺に亘って形成され、その端縁に布団圧縮部を密閉するための開閉手段を有する開口部と、第４の端辺において互いに固着された第３の固着部とを有し、圧縮袋の吊下げ手段配設部は、その一方の端辺が一方のシート部材に第３の固着部に沿って一体的に連設され、且つその他方の端辺が他方のシート部材に第３の固着部に沿って一体的に連設された連設シート部材を有し、連設シート部材は、第３の固着部に相対する折返し部を有し、折返し部は、圧縮袋の第１の端辺からの距離と第２の端辺からの距離が等しくなる部分に貫通孔を有し、吊下げ手段は、その軸部材が、連設シート部材の折返し部と第３の固着部との間に形成される空間に配設され、且つそのフック部材が貫通孔を通って圧縮袋の外部に延びるように配設された、布団用圧縮収納具である。
好ましくは、この考案に係る布団用圧縮収納具が備える吊下げ手段配設部は、布団圧縮部の第１の端辺および第２の端辺と直交または交差する方向に延びる第４の固着部または折返し部を有し、吊下げ手段配設部に配設された吊下げ手段の軸部材が第１の端辺および第２の端辺と直交または交差する方向に延びて、吊下げ手段によって外部に設けられた部材に吊下げられた布団用圧縮収納具は、鉛直方向に吊下げられるように構成された、布団用圧縮収納具である。
好ましくは、この考案に係る布団用圧縮収納具が備える形状維持手段は、布団を包み込んで開口部から布団圧縮部に挿入することができるように、平面視略四角形状の柔軟な布状部材が折り畳まれた布団の外を包み込み、布状部材の一方の端縁に間隙をおいて取り付けられた左右対称又は複数の雌面ファスナーと、布状部材の他方の端縁に間隙をおいて連設された左右対称又は複数の帯状部材それぞれの先端に取り付けられた雄面ファスナーとが係合して、畳まれた布団の形状を維持し、布団圧縮部に詰め込まれた布団が形状維持手段とともに圧縮されるように構成された、布団用圧縮収納具である。
好ましくは、この考案に係る布団用圧縮収納具が備える排出口は、圧縮袋の第１の端辺と第４の端辺とで形成される角部、および第２の端辺と第４の端辺とで形成される角部の少なくとも一つに配設され、圧縮袋は、圧縮袋に畳まれた形状を維持して詰め込まれた布団と排出口とを所望の距離だけ離間させるため、排出口の近傍において、一方のシート部材と他方のシート部材とをドット状に固着する第５の固着部をさらに含み、逆流防止部は、圧縮袋および圧縮袋に畳まれた形状を維持して詰め込まれた布団を押圧して排出口から空気を排出することにより圧縮した後、布団が周囲の空気を吸い込むことで一方のシート部材と他方のシート部材とが所望の距離の部分で互いに吸着しあうことにより作用する、布団用圧縮収納具である。
好ましくは、この考案に係る布団用圧縮収納具が備える逆流防止部は、高さが低い平盤型であり、排出口が形成され、且つ一方のシート部材または他方のシート部材の外面から内面に亘って取り付けられた下受け部材と、下受け部材に取り付けられた可撓性を有する弁部材と、弁部材の上面を覆うように下受け部材に取り付けられたカバー部材とを含み、逆流防止部は、その高さ方向が一方のシート部材または他方のシート部材の外面に直交または交差する方向に向かうように一方のシート部材または他方のシート部材に取り付けられた、布団用圧縮収納具である。
好ましくは、この考案に係る布団用圧縮収納具が備える第４の固着部の幅寸法は、第４の固着部の長さ方向にのびる軸部材により保持されるように、第１の固着部、第２の固着部および第３の固着部の幅寸法よりも大きい、布団用圧縮収納具である。
好ましくは、この考案に係る布団用圧縮収納具が備える軸部材は、吊下げ手段配設部の長さ方向に延び、布団を布団圧縮部に圧縮収納した圧縮袋を左右均等に吊下げるために、軸部材の略中央には嵌合孔が形成され、フック部材の一方の端部には、軸部材の嵌合孔に嵌合するための嵌合突部が形成された、布団用圧縮収納具である。
好ましくは、この考案に係る布団用圧縮収納具が外部に設けられた部材を有する収納空間に外部に吊下げて収納されたとき、一方のシート部材と他方のシート部材とが重なり合う方向は、収納空間に布団用圧縮収納具やその他の被収納物が収納されて並ぶ方向と同じであり、圧縮袋の第３の端辺および第４の端辺は、収納空間の奥行きと同じ方向に延び、形状維持手段の一方の端縁および他方の端縁は、圧縮袋の第３の端辺および第４の端辺と鉛直な方向に延び、圧縮袋の第３の端辺および第４の端辺の延びる方向の寸法は、５４ｃｍ以上６０ｃｍ以下である、布団用圧縮収納具である。
好ましくは、この考案に係る布団用圧縮収納具が備える形状維持手段は、布団を包み込んで開口部から布団圧縮部に挿入することができるように、平面視略四角形状の柔軟な布状部材が折り畳まれた布団の外を包み込み、布状部材は、一方の端縁に雌面ファスナーが取り付けられ、且つ折り畳まれた布団の外を包み込んだときに一方の端縁に対向する他方の端縁に雄面ファスナーが取り付けられ、布団側の面とは反対側である外側の面が、圧縮袋の布団圧縮部を構成するシート部材の内側の面と向き合うように形成された、布団用圧縮収納具である。
【考案の効果】
【０００７】
この考案によれば、押入れなどの十分な収納スペースがない場合でも、収納に苦慮しない布団用圧縮収納具を提供できる。
この考案の上述の目的、その他の目的、特徴および利点は、図面を参照して行う以下の考案を実施するための形態の説明から一層明らかとなろう。
【図面の簡単な説明】
【０００８】
【図１】この考案の一実施の形態に係る布団用圧縮収納具の使用状態を示す外観斜視図である。
【図２】この考案の一実施の形態に係る布団用圧縮収納具が備える布状部材を示す図であり、（Ａ）が正面図、（Ｂ）が背面図である。
【図３】この考案の一実施の形態に係る布団用圧縮収納具が備える圧縮袋を示す正面図である。
【図４】この考案の一実施の形態に係る布団用圧縮収納具が備える圧縮袋の開口ジッパーを示す図３のＩＶ−ＩＶ断面図であり、（Ａ）が係合した状態を示す図、（Ｂ）が係合した状態を外す様子を示す図である。
【図５】この考案の一実施の形態に係る布団用圧縮収納具が備える圧縮袋の上端辺近傍の拡大正面図である。
【図６】この考案の一実施の形態に係る布団用圧縮収納具が備えるバルブの拡大正面図である。
【図７】この考案の一実施の形態に係る布団用圧縮収納具が備えるバルブを分解した図であり、（Ａ）が下受け部材の正面図、（Ｂ）が下受け部材に弁部材を取り付けた状態の正面図である。
【図８】この考案の一実施の形態に係る布団用圧縮収納具が備えるバルブを構成する弁部材を示す図であり、（Ａ）が側面図、（Ｂ）が（Ａ）のＶＩＩＩＢ−ＶＩＩＩＢ断面図である。
【図９】この考案の一実施の形態に係る布団用圧縮収納具が備えるハンガーを示す図であり、（Ａ）が正面図、（Ｂ）が（Ａ）のＩＸＢ−ＩＸＢ断面図である。
【図１０】この考案の一実施の形態に係る布団用圧縮収納具が備えるハンガーを構成する各部材を示す図であり、（Ａ）がフック部材の正面図、（Ｂ）が軸部材の正面図である。
【図１１】この考案の一実施の形態に係る布団用圧縮収納具が備えるハンガーを圧縮袋に取り付ける手順を示した図である。
【図１２】この考案の一実施の形態に係る布団用圧縮収納具が備えるハンガーの取り付けられた圧縮袋である。
【図１３】この考案の一実施の形態に係る布団用圧縮収納具に詰め込む布団を畳む手順を示す概略図である。
【図１４】この考案の一実施の形態に係る布団用圧縮収納具が備える布状部材により畳まれた形状を維持した布団を示す図である。
【図１５】この考案の一実施の形態に係る布団用圧縮収納具が備える布状部材により畳まれた形状を維持された布団を圧縮袋に詰め込んだ様子を示す正面図である。
【図１６】この考案の一実施の形態に係る布団用圧縮収納具が備える布状部材により畳まれた形状を維持された布団を圧縮袋に詰め込んだ様子を示す側面図である。
【図１７】この考案の一実施の形態に係る布団用圧縮収納具が備える布状部材により畳まれた形状を維持され、圧縮袋に詰め込まれた布団を圧縮した様子を示す側面図である。
【図１８】この考案の他の実施の形態に係る布団用圧縮収納具を示す正面図である。
【図１９】この考案の他の実施の形態に係る布団用圧縮収納具を示す正面図の上部拡大図である。
【図２０】この考案の他の実施の形態に係る布団用圧縮収納具の吊下げ手段配設部およびその周辺の側面からみたときの断面図である。
【図２１】この実施の他の実施の形態に係る変形例の布団用圧縮収納具の吊下げ手段配設部およびその周辺の側面からみたときの断面図である。
【考案を実施するための形態】
【０００９】
＜全体的な構成について＞
以下、この考案の一実施の形態に係る布団用圧縮収納具について、図面を参照しながら説明する。図１は、この考案の一実施の形態に係る布団用圧縮収納具の使用状態を示す外観斜視図である。この実施の形態に係る布団用圧縮収納具１０は、布団Ｆの畳まれた形状を維持するための形状維持手段たる布状部材２０と、布状部材２０により畳まれた形状を維持された布団Ｆを詰め込んで圧縮するための圧縮袋１２０と、外部に設けられた棒状部材Ｐなどに布団用圧縮収納具１０を吊り下げるための吊下げ手段たるハンガー３２０とを備える。
【００１０】
＜布状部材２０について＞
図２は、この考案の一実施の形態に係る布団用圧縮収納具が備える布状部材を示す図であり、図２（Ａ）が正面図（すなわち、表面を示す図）、図２（Ｂ）が背面図（すなわち、裏面を示す図）である。布状部材２０は、上記したように、布団Ｆの畳まれた形状を維持するための形状維持手段である。この実施の形態に係る布状部材２０は、シート状であり、且つ平面視略四角形状である。したがって、布状部材２０は、上端辺と下端辺が相対しており、左端辺と右端辺が相対している。布状部材２０は、その表面の上端辺（一方の端縁）から左端辺に沿って下方にのびるように取り付けられる平面視略矩形状の雌面ファスナー２２Ｌと、その表面の上端辺（一方の端縁）から右端辺に沿って下方にのびるように取り付けられる平面視略矩形状の雌面ファスナー２２Ｒとを有する。雌面ファスナー２２Ｌ，２２Ｒは、互いに同様の形状を有し、左右対称の位置に配設される。また、布状部材２０は、下端辺（他方の端縁）の上記した雌面ファスナー２２Ｌと相対する位置（すなわち、下端辺の左端辺に沿った位置）に取り付けられる平面視略矩形状の帯状部材２４Ｌと、下端辺（他方の端縁）の上記した雌面ファスナー２２Ｒと相対する位置（すなわち、下端辺の右端辺に沿った位置）に取り付けられる平面視略矩形状の帯状部材２４Ｒとを有する。帯状部材２４Ｌ，２４Ｒは、互いに同様の形状を有し、左右対称の位置に取り付けられる。帯状部材２４Ｌは、一方の端部の裏面が布状部材２０に取り付けられ、他方の端部が布状部材２０の下方に位置する。帯状部材２４Ｌの他方の端部の裏面には、上記した雌面ファスナー２２Ｌに係合可能な雄面ファスナー２６Ｌが配設される。同様に、帯状部材２４Ｒは、一方の端部の裏面が布状部材２０に取り付けられ、他方の端部が布状部材２０の下方に位置する。そして、帯状部材２４Ｒの他方の端部の裏面には、上記した雌面ファスナー２２Ｒに係合可能な雄面ファスナー２６Ｒが配設される。なお、帯状部材２４Ｌ，２４Ｒも互いに同様の形状を有し、左右対称の位置に配設される。すなわち、雌面ファスナー２２Ｌ，２２Ｒ、および雄面ファスナー２６Ｌ，２６Ｒが、係合手段として作用する。雌面ファスナー２２Ｌ，２２Ｒは、畳まれた布団Ｆをその形状を維持するように包み込んだとき、布状部材２０を歪めることなく雄面ファスナー２６Ｌ，２６Ｒと係合できるように、布状部材２０の左端辺および右端辺にそって長手方向の寸法を有する。
【００１１】
＜圧縮袋１２０について＞
図３は、この考案の一実施の形態に係る布団用圧縮収納具が備える圧縮袋を示す正面図である。圧縮袋１２０は、上記したように、布状部材２０により畳まれた形状を維持された布団Ｆを詰め込んで圧縮するためのものである。圧縮袋２０は、畳まれた形状の布団Ｆを詰め込んで密閉し、圧縮するための布団圧縮部と、ハンガー３２０を配設するための吊下げ手段配設部とを含む。圧縮袋１２０は、重ね合わされた一方のシート部材１３０および他方のシート部材１４０を含む。一方のシート部材１３０および他方のシート部材１４０は、互いに同様の原料からなり、同様の形状を有する。一方のシート部材１３０および他方のシート部材１４０は、例えば、ポリプロピレンなどの合成樹脂で形成され、シート状であり、透明または半透明である。圧縮袋１２０は、平面視略四角形状に形成され、互いに相対する第１の端辺たる上端辺１２０ａおよび第２の端辺たる右端辺１２０ｂ、並びに互いに相対する第３の端辺たる下端辺１２０ｃおよび第４の端辺たる上端辺１２０ｄを含む。圧縮袋１２０は、左端辺１２０ａにおいて一方のシート部材１３０と他方のシート部材１４０とが互いに固着された第１の固着部たる左端辺固着部１５２を有し、且つ右端辺１２０ｂにおいて一方のシート部材１３０と他方のシート部材１４０とが互いに固着された第２の固着部たる右端辺固着部１５４を有する。
【００１２】
下端辺１２０ｃでは、一方のシート部材１３０と他方のシート部材１４０とが固着されていない。すなわち、下端辺１２０ｃには、布団Ｆを出し入れするための開口部１６０が形成される。開口部１６０の端縁には、開口部１６０を開閉するための開閉手段たる開口ジッパー１６２が形成される。図４は、この考案の一実施の形態に係る布団用圧縮収納具が備える圧縮袋の開口ジッパーを示す図３のＩＶ−ＩＶ断面図であり、図４（Ａ）が係合した状態を示す図、図４（Ｂ）が係合した状態を外す様子を示す図である。開口ジッパー１６２は、一方のシート部材１３０の下端辺近傍に沿って延びるように内面に突設された雌ジッパー１６４と、他方のシート部材１４０の下端辺近傍に沿って延びるように内面に突設された雄ジッパー１７４とを有する。雌ジッパー１６４と、雄ジッパー１７４とが互いに係合することにより、開口部１６０が閉じられる。なお、雌ジッパー１６４と、雄ジッパー１７４とを係合するには、いわゆるスライダー１７８を用いることができる。すなわち、スライダー１７８によって、開口ジッパー１６２の外面両側から一方のシート部材１３０と他方のシート部材１４０とをまとめて挟み込み、雌ジッパー１６４と雄ジッパー１７４の一箇所を係合する。そして、そのままスライダー１７８を雌ジッパー１６４と雄ジッパー１７４が延びる方向に沿って（すなわち、圧縮袋１２０の下端辺近傍に沿って）スライドさせることにより、雌ジッパー１６４と、雄ジッパー１７４とを係合する。
【００１３】
図５は、この考案の一実施の形態に係る布団用圧縮収納具が備える圧縮袋の上端辺近傍の拡大正面図である。圧縮袋１２０は、第４の端辺たる上端辺１２０ｄの近傍において、上端辺１２０ｄに沿って一方のシート部材１３０と他方のシート部材１４０とが互いに固着された第３の固着部たる上端辺近傍固着部１５６を有する。すなわち、圧縮袋１２０の布団圧縮部は、左端辺固着部１５２、右端辺固着部１５４、上端辺近傍固着部１５６および開口部１６０をその端縁とし、開口ジッパー１６２により開口部１６０を閉じることにより、その内部が密閉される。さらに、圧縮袋１２０は、上端辺１２０ｄにおいて一方のシート部材１３０と他方のシート部材１４０とが固着された第４の固着部たる上端辺固着部１５８を有する。上端辺固着部１５８の幅寸法は、上記した左端辺固着部１５２、右端辺固着部１５４および上端辺近傍固着部１５６のそれよりも大きい。
【００１４】
上端辺固着部１５８の延びる方向の略中央には、貫通孔１８０が形成される。すなわち、上端辺固着部１５８は、貫通孔１８０により、略中央において左右対象に切断された態様となる。貫通孔１８０の左端縁は、左方に滑らかに湾曲した円弧状に形成されることが好ましい。同様に、貫通孔１８０の右端縁は、右方に滑らかに湾曲した円弧状に形成されることが好ましい。圧縮袋１２０の上端には、左端辺固着部１５２、右端辺固着部１５４、上端辺近傍固着部１５６および上端辺固着部１５８を端縁として、ハンガー３２０を配設するための吊下げ手段配設部１２２が形成される。すなわち、吊下げ手段１２２は、布団圧縮部の上端辺近傍固着部１５６において一方のシート部材１３０に一体的に連設された一方の連設シート部材と、上端辺近傍固着部１５６において他方のシート部材１４０に一体的に連設された他方の連設シート部材とを有し、一方の連設シート部材と他方の連設シート部材とは、互いに重ね合わされ、上端辺近傍固着部１５６と並列して延びるように互いに固着された上端辺固着部１５８を有し、上端辺固着部１５８が延びる方向の略中央に貫通孔１８０が形成される。
【００１５】
圧縮袋１２０の幅方向の寸法（すなわち、下端辺１２０ｃおよび上端辺１２０ｄの長さ）は、５４ｃｍ以上６０ｃｍ以下であることが好ましい。より好ましくは、約６０ｃｍである。上記した寸法は、衣服を吊下げて収納するのに適している。したがって、布団Ｆをこのような収納スペースを有するクローゼットなどに収納することができる。また、このように衣服とほぼ同じ幅方向の寸法とすることにより、衣服と統一感のある状態で、布団Ｆを収納することができる。
【００１６】
＜バルブ２２０について＞
図６は、この考案の一実施の形態に係る布団用圧縮収納具が備えるバルブの拡大正面図である。また、図７は、この考案の一実施の形態に係る布団用圧縮収納具が備えるバルブを分解した図であり、図７（Ａ）が下受け部材の正面図、図７（Ｂ）が下受け部材に弁部材を取り付けた状態の正面図である。また、図８は、この考案の一実施の形態に係る布団用圧縮収納具が備えるバルブを構成する弁部材を示す図であり、図８（Ａ）が側面図、図８（Ｂ）が図８（Ａ）のＶＩＩＩＢ−ＶＩＩＩＢ断面図である。
【００１７】
圧縮袋１２０の一方のシート部材１３０には、扁平状の逆流防止部たるバルブ２２０が取り付けられる。バルブ２２０は、圧縮袋１２０の内部から外部に空気を排出する排出口２３２を有し、且つ圧縮袋１２０の外部から内部に空気が流入することを遮断する構造を有する。
【００１８】
バルブ２２０は、一方のシート部材１３０の内面と外面に亘って取り付けられる下受け部材２３０と、下受け部材２３０に取り付けられる弁部材２４０と、弁部材２４０の上面を覆うように下受け部材２３０に取り付けられるカバー部材２５０とを含む。下受け部材２３０は、正面視略円形状である。下受け部材２３０は、その略中央に圧縮袋１２０の内部の空気を外部に排出するための略円筒形状の排出口２３２を有する。排出口２３２は、その外縁となる下受け部材２３０の底板内面に突設された正面視略円形状の外側突部２３４と、外側突部２３４の略中央に形成された平面視略円形状の弁軸嵌合部２３６と、弁軸嵌合部２３６から放射状に形成された複数の下受け貫通孔２３８とを有する。外側突部２３４は、その先端が、弁軸嵌合部２３６の先端よりも高くなるように形成される。
【００１９】
弁部材２４０は可撓性を有する。弁部材２４０は、その外縁が下方に垂れ下がるように形成された平面視略円形状の弁天板２４２と、弁天板２４２の略中央から下方に延びるように形成された弁軸部２４４とを有する。弁軸部２４４が、下受け部材２３０の弁軸嵌合部２３６に嵌合される。弁天板２４２は、その直径が、上記した下受け部材２３０の外側突部２３４のそれよりも大きい。したがって、弁軸部２４４が、下受け部材２３０の弁軸嵌合部２３６に嵌合されたとき、正面から見ると弁天板２４２によって下受け部材２３０の排出口２３２が完全に覆われた状態になる。このとき、弁天板２４２の下面は、下受け部材２３０の外側突部２３４の先端に接する。したがって、弁部材２４０によって、下受け部材２３０の排出口２３２が塞がれた状態になる。
【００２０】
カバー部材２５０は、正面視略円形状であり、その直系は下受け部材２３０のそれとほぼ等しい。カバー部材２５０は、その略中央から放射状に形成された複数のカバー貫通孔２５２を有する。カバー部材２５０は、上記したように、弁部材２４０の上面を覆うように下受け部材２３０に取り付けられる。なお、バルブ２２０は、図面中、一方のシート部材１３０の右下方部分に形成されているが、その他の場所に形成してもよい。
【００２１】
＜ハンガー３２０について＞
図９は、この考案の一実施の形態に係る布団用圧縮収納具が備えるハンガーを示す図であり、図９（Ａ）が正面図、図９（Ｂ）が図９（Ａ）のＩＸＢ−ＩＸＢ断面図である。また、図１０は、この考案の一実施の形態に係る布団用圧縮収納具が備えるハンガーを構成する各部材を示す図であり、図１０（Ａ）がフック部材の正面図、図１０（Ｂ）が軸部材の正面図である。ハンガー３２０は、上記した吊下げ手段配設部１２２に配設される（すなわち、上端辺固着部１５６に沿って圧縮袋１２０の内部に配設される）軸部材３２２と、軸部材３２２の略中央に取り付けられ、上端辺固着部１５６に形成された貫通孔１８０を通って圧縮袋１２０の外部にのびるフック部材３３２とを含む。
【００２２】
軸部材３２２は、平面視略矩形状の天板と、天板の左端辺から下方にのびる左側板と、天板の右端辺から下方にのびる右側板と、天板の前端辺から下方にのびる前板と、天板の後端辺から下方にのびる背板とを備える。すなわち、軸部材３２２は、その下方が開放された箱型の略直方体形状である。軸部材３２２の天板の略中央には、上下方向に貫通する嵌合孔３２４が形成される。フック部材３３４は、その下端部に嵌合突部３３４を有する。すなわち、フック部材３３４の嵌合突部３３４が、軸部材３２２に形成された嵌合孔３２４に上方から押し込んで挿し込まれる。このようにして、軸部材３２２の嵌合孔３２４と、フック部材３３４の嵌合突部３３４とが互いに嵌合し、ハンガー３２０となる。ハンガー３２０は、その軸部材３２２が圧縮袋１２０の上端辺近傍固着部１５６と上端辺固着部１５８の間に形成される空間に配設され、且つそのフック部材３３２が貫通孔１８０を通って圧縮袋１２０の外部に延びるように配設される。
【００２３】
図１１は、ハンガー３２０を圧縮袋１２０に取り付ける手順を示した図である。まず、図１１（Ａ）に示すように、軸部材３２２を圧縮袋１２０の上端辺固着部１５６に形成された貫通孔１８０から吊下げ手段配設部１２２に挿し込む。次に、図１１（Ｂ）に示すように、吊下げ手段配設部１２２の左方に位置する軸部材３２２を略中央に移動させる。最後に、図１１（Ｃ）に示すように、軸部材３２２の嵌合孔３２４にフック部材３３２の嵌合突部３３４を押し込んで挿し込む。上記の手順により、図１２に示すハンガー３２０の取り付けられた圧縮袋１２０を得る。
【００２４】
＜布団用圧縮収納具１０の使用手順について＞
つづいて、図１３〜１７参照して、布団用圧縮収納具１０の使用手順について説明する。図１３は、布団を畳む手順を示す概略図である。図１４は、布状部材により畳まれた形状を維持した布団を示す図である。図１５は、布状部材により畳まれた形状を維持された布団を圧縮袋に詰め込んだ様子を示す正面図である。図１６は、布状部材により畳まれた形状を維持された布団を圧縮袋に詰め込んだ様子を示す側面図である。図１７は、布状部材により畳まれた形状を維持され、圧縮袋に詰め込まれた布団を圧縮した様子を示す側面図である。
【００２５】
図１３を参照して、略矩形状の布団Ｆを折り畳む手順について説明する。まず、図１３（Ａ）に示すように、図中破線で示す（長手方向に延びる）幅方向の中央線に沿って折り畳む。すなわち、左側半分の面と、右側半分の面とを対向させるように折り畳み、２つ折りの状態にする。次に、図１３（Ｂ）に示すように、２つ折りにされた布団Ｆを、図中破線で示す（幅方向に延びる）長手方向の中央線に沿って折り畳む。すなわち、２つ折りにされた布団Ｆの上側半分の面と、下側半分の面とを対向させるように折り畳み、４つ折りの状態にする。最後に、図１３（Ｃ）に示すように、図中破線で示す４つ折りにされた布団Ｆを長手方向に３分割する（幅方向に延びる）２つの線に沿って折り畳む。すなわち、４つ折りにされた布団Ｆの上側面と中央面とを対向させるように折り畳み、その後、下側面と中央面に重ね合わされた上側面とを対向させるように折り畳む。若しくは、４つ折りにされた布団Ｆの下側面と中央面とを対向させるように折り畳み、その後、上側面と中央面に重ね合わされた下側面とを対向させるように折り畳む。なお、４つ折りにされた布団Ｆを幅方向に沿った軸線が形成されるように丸めてもよい。上記のようにして、布団Ｆを折り畳み、図１３（Ｄ）に示す畳まれた布団Ｆを得る。
なお、上記した布団Ｆを折り畳む手順はあくまで一例である。すなわち、畳まれた形状を維持できるように布状部材２０で包み込むことができ、且つ圧縮袋１２０に詰め込むことができる形状であれば、他の手順で折り畳まれてもよい。
【００２６】
図１４に示すように、上記のように畳まれた布団Ｆを布状部材２０で包み込むことにより、畳まれた布団Ｆの形状を維持する。具体的には、まず、布団Ｆの幅方向と布状部材２０の幅方向とが平行になるように、上記のように畳まれた布団Ｆを布状部材２０の裏面の略中央に載置する。次に、布状部材２０の上側面を畳まれた布団Ｆに向けて引っ張るとともに、布状部材２０の下側面を畳まれた布団Ｆに向けて引っ張る。すると、布状部材２０の上端辺と下端辺とが、畳まれた布状部材２０の上端付近で突き合わされ対向した状態になる。最後に、布状部材２０の雌面ファスナー２２Ｌと雄面ファスナー２６Ｌとを係合させ、且つ布状部材２０の雌面ファスナー２２Ｒと雄面ファスナー２６Ｒとを係合させる。上記のようにして、布団Ｆを布状部材２０で包み込み、畳まれた形状を維持する。
【００２７】
次に、上記のように布状部材２０により畳まれた形状を維持された布団Ｆを開口部１６０から圧縮袋１２０に詰め込む。そして、布団Ｆを詰め込んだ後、上記したように、スライダーなどを用いて、開口ジッパー１６２の雌ジッパー１６４と雄ジッパー１７４とを係合させ、開口部１６０を閉じた状態とすることにより、図１５の正面図および図１６の側面図に示す状態となる。
【００２８】
次に、電気掃除機の吸引口をバルブ２２０のカバー部材２５０の外面に押し当てて吸引する。バルブ２２０の外面から電気掃除機で吸引すると、弁部材２４０の外縁が撓んでカバー部材２５０の内面に張り付く。このとき、弁天板２４２の下面が下受け部材２３０の外側突部２３４の先端から離間するため、排出口２３２が開放された状態となる。したがって、電気掃除機の吸引により、圧縮袋１２０の内部の空気が排出口２３２から排出される。圧縮袋１２０の内部の空気が十分に排出され、布団Ｆが圧縮された状態になったところで電気掃除機の吸引をストップする。すると、布団Ｆおよび圧縮袋１２０は圧縮前の状態に戻ろうとして周囲の空気を吸い込もうとする。これにより、弁天板２４２の外縁が下方に垂れ下がった状態に戻り、弁天板２４２の下面が下受け部材２３０の外側突部２３４の先端に再び接する。したがって、弁部材２４０によって、下受け部材２３０の排出口２３２が塞がれた状態になるため、外部の空気が圧縮袋１２０の内部に入り込まず、布団Ｆおよび圧縮袋１２０の圧縮された状態が維持される。
【００２９】
最後に、上記のように布団Ｆを詰め込んで圧縮した布団用収納部１０をハンガー３２０により、クローゼット（収納空間）などの棒状部材（外部に設けられた部材）に吊下げて収納する。布団Ｆを詰め込んで圧縮した布団用圧縮袋１０は、クローゼットに吊下げて収納されたとき、一方のシート部材１３０と他方のシート部材１４０とが重なり合う方向が、クローゼットの棒状部材が延びる方向（すなわち、布団用圧縮収納具１０やその他の衣服（被収納物）が収納されて並ぶ方向）と同じであり、圧縮袋１２０の上端辺近傍固着部１５６および上端辺固着部１５８は、クローゼットの奥行きと同じ方向に延び、布状部材２０の上端辺および下端辺は、圧縮袋１２０の上端辺近傍固着部１５６および上端辺固着部１５８と鉛直な方向に延びる。なお、圧縮袋１２０の上端辺近傍固着部１５６および上端辺固着部１５８の延びる方向の寸法は、衣服（上着）の一般的な幅寸法である５４ｃｍ以上６０ｃｍ以下であることが好ましい。
【００３０】
＜効果について＞
この実施の形態に係る布団用圧縮収納具１０は、布状部材２０により布団Ｆの畳まれた形状を維持して圧縮袋１２０に詰め込むことができるため、圧縮後の布団Ｆの長手方向の寸法および幅方向の寸法を小さくすることができる。それ故、従来の圧縮袋のように、圧縮後の特に幅方向の寸法が大き過ぎることにより外部に設けられた棒状部材などに吊下げて収納することが困難であった問題を解決し、クローゼットなどに吊下げて収納できる。したがって、押入れなどの十分な収納スペースがない場合でも、収納に苦慮しない布団用圧縮収納具１０を提供することができる。
【００３１】
さらに、この実施の形態に係る布団用圧縮収納具１０の上端辺固着部１５８は、その幅方向の寸法が、左端辺固着部１５２、右端辺固着部１５４および上端辺近傍固着部１５６のそれよりも大きい。好ましくは、上端辺固着部１５８は、その幅方向の寸法が、左端辺固着部１５２、右端辺固着部１５４および上端辺近傍固着部１５６のそれの約２倍以上である。上端辺固着部１５８は、布団収納具１０を吊下げたとき、ハンガー３２０の軸部材３２２の天板が下方から押し上げる態様で接触するため、荷重が集中する。したがって、上端辺固着部１５８の幅方向の寸法を大きくして、その耐久性を高めることにより、吊下げて収納するには重量の大きい布団Ｆを吊下げても問題のない布団用圧縮収納具１０を得ることができる。
【００３２】
さらに、この実施の形態に係る布団用圧縮収納具１０が備える圧縮袋１２０の上端辺固着部１５８の略中央に形成された貫通孔１８０の左端縁は、左方に滑らかに湾曲した円弧状に形成されることが好ましい。また、貫通孔１８０の右端縁は、右方に滑らかに湾曲した円弧状に形成されることが好ましい。こうすることにより、ハンガー３２０が押し上げる態様で接触して荷重が掛かってもその荷重を低減することができる。したがって、圧縮袋１２０が貫通孔１８０の端縁から破れて破損しまうことを抑制することができる。
【００３３】
さらに、この実施の形態に係る布団用圧縮収納具１０が備えるハンガー３２０は、軸部材３２２とフック部材３３２とが別部材で構成される。こうすることにより、まず軸部材３２２のみを圧縮袋１２０の吊下げ手段配設部１２２に挿入し、その後、軸部材３２２にフック部材３３２を取り付けることができるため、ハンガー３２０の圧縮袋１２０への取り付け作業が容易になる。
【００３４】
＜他の実施の形態について＞
図１８および図１９を参照して、この考案の他の実施の形態に係る布団用圧縮収納具について説明する。図１８は、この考案の他の実施の形態に係る布団用圧縮収納具を示す正面図である。また、図１９は、この考案の他の実施の形態に係る布団用圧縮収納具を示す正面図の上部拡大図である。なお、この実施の形態に係る布団用圧縮収納具は、逆流防止部の態様を除いて上記した実施の形態と同様であるため、同一部分には同じ参照番号を付し、同様となる説明は繰り返さない。
【００３５】
上記した実施の形態では、逆流防止部が圧縮袋１２０の内部の空気を電気掃除機で吸引することにより排出するバルブ２２０である場合について説明した。一方、この実施の形態の逆流防止部は、圧縮袋１２０の内部の空気を手などで押さえ付けることにより排出する。この実施の形態の逆流防止部は、圧縮袋１２０の左端辺１２０ａと上端辺１２０ｄとで形成される角部に配設された一方の逆流防止部４２０Ｌ、および右端辺１２０ｂと上端辺１２０ｄとで形成される角部に配設された他方の逆流防止部４２０Ｒである。なお、一方の逆流防止部４２０Ｌと他方の逆流防止部４２０Ｒは互いに同様の構造であるため、ここでは、一方の逆流防止部４２０Ｌについてのみ説明し、他方の逆流防止部４２０Ｒの同様となる説明は繰り返さない。
【００３６】
一方の逆流防止部４２０Ｌは、圧縮袋１２０の左端辺１２０ａと上端辺１２０ｄとで形成される角部に配設され、且つ一方のシート部材１３０および他方のシート部材１４０と同様の原料で形成された平面視略矩形状の排出口２３２と、排出口２３２の近傍において一方のシート部材１３０と他方のシート部材１４０とがドット状に固着された平面視略直角三角形状の第５の固着部たるドット状固着部１５９とにより構成される。また、排出口２３２は、その内面に排出口２３２を開閉することができる排出口ジッパー２３３を有する。ドット状固着部１５９により、圧縮袋１２０に布団Ｆを詰め込んでも排出口２３２の近傍まで至ることがない。なお、圧縮袋１２０の左端辺１２０ａと上端辺１２０ｄとで形成される角部は、傾斜した略直線状の端辺を有するように切り取られ、この切り取られた端辺に排出口２３２の端辺が一体的に取り付けられることが好ましい。このとき、排出口２３２の上端部（すなわち、その右上角部）は、圧縮袋１２０の上端辺１２０ｄと同じ高さまたは下方に位置するようにする。これにより、排出口２３２に妨げられることなく、布団用圧縮収納具１０を外部に設けられた棒状部材Ｐなどに吊り下げることができる。
【００３７】
布団Ｆを圧縮袋１２０に詰め込んだ後、手などで押さえ付けることにより、排出口２３２から圧縮袋１２０の内部の空気を外部に排出する。布団Ｆおよび圧縮袋１２０を十分に圧縮した後、手などにより押さえ付けていた外力を除くと、布団Ｆおよび圧縮袋１２０が圧縮前の状態に戻ろうとして周囲の空気を吸い込もうとする。このとき、まず排出口２３２の近傍の空気が吸い込まれる。したがって、排出口２３２の近傍の一方のシート部材１３０の内面と他方のシート部材１３０の内面とが吸着しあう。これにより、外部の空気が排出口２３２から圧縮袋１２０の内部に入り込むことを防止できる。この状態で、排出口ジッパー２３３を閉じ、布団用圧縮収納具１０により圧縮された布団Ｆを得る。この実施の形態では、電気掃除機がない場合でも人力だけで布団Ｆを圧縮できるという効果を奏する。また、下端辺１２０ｃの開口部１６０と相対する上端辺１２０ｄの左端の角部に一方の逆流防止部４２０Ｌが配設され、右端の角部に他方の逆流防止部４２０Ｒが配設される。したがって、開口部１６０から挿入された布団Ｆを手などで押さえつけることにより、一方の逆流防止部４２０Ｌおよび他方の逆流防止部４２０Ｒから効率よく空気を排出することができる。
【００３８】
ドット状固着部１５９は、平面視したとき、排出口２３２に相対する頂点（以下、「排出口２３２側の頂点」という）が排出口２３２の端辺の略中央を指す態様となり、且つ排出口２３２側の頂点の対辺（以下、「底辺」という）が排出口２３２の端辺と平行になるよう形成されることが好ましい。さらに好ましくは、ドット状固着部１５９は、平面視したとき、排出口２３２側の頂点が直角な直角二等辺三角形である。布団圧縮部に詰め込まれた布団Ｆは、ドット状固着部１５９の底辺に沿って配置され、ドット状固着部１５９よりも排出口２３２に近づくことがない。このように布団圧縮部に詰め込まれた布団Ｆは、手などで押圧することにより圧縮されると、平面視したときの布団圧縮部の内部で占める面積が大きくなる。このとき、布団Ｆは、圧縮袋１２０の上端辺１２０ｄや左端辺１２０ａおよび右端辺１２０ｂの方向にも広がるが、排出口２３２の方向には、ドット状固着部１５９に妨げられて広がることができない。特に、ドット状固着部１５９の底辺が排出口２３２の端辺と平行であるため、布団Ｆの排出口２３２側の端部は、この底辺に沿って延びるように広がる。その結果、布団Ｆを圧縮しても、布団Ｆの排出口２３２と最も近い距離（以下、「所望の距離」という）を十分大きく確保できるため、一方のシート部材１３０と他方のシート部材１４０とが十分に吸着しあうことができる。なお、上記した所望の距離は、２ｃｍ以上であることが好ましい。これにより、一方のシート部材１３０と他方のシート部材１４０とが十分に吸着しあうため、逆流防止部４２０Ｌ，４２０Ｒが効果的に作用する。また、底辺から排出口２３２側の頂点に向かって延びる２辺が排出口２３２の端辺の略中央を指す態様であるため、手などで押圧したとき、布団圧縮部の内部の空気が排出口２３２に向かって流れるようになる。すなわち、手などで押圧することにより、布団Ｆおよび布団圧縮部を効率よく圧縮することができる。なお、ドット状固着部１５９の３つの角部それぞれには、丸みが形成されていることが好ましい。
【００３９】
なお、ドット状固着部１５９は、上記した態様に限られない。すなわち、平面視したときの形状は直角二等辺三角形に限定されず、他の二等辺三角形や、正三角形、その他の三角形であってもよい。また、円形状や略四角形状であってもよいし、その他の形状であってもよい。また、１つの排出口２３２に対して複数のドット状固着部１５９を形成してもよい。このとき、排出口２３２の端辺と平行に並べて複数のドット状固着部１５９を形成することが好ましい。
【００４０】
図２０は、この実施の形態に係る布団用圧縮収納具の吊下げ手段配設部およびその周辺の側面からみたときの断面図である。上記したように、圧縮袋１２０の上端辺１２０ｄは、一方の連設シート部材の上端辺と、他方の連設シート部材の上端辺とが上端辺固着部１５８により互いに固着されている。図２１は、この実施の形態に係る布団用圧縮収納具の変形例の吊下げ手段配設部およびその周辺の側面からみたときの断面図である。図２１に示すように、この変形例では、圧縮袋の吊下げ手段配設部１２２は、その一方の端辺が一方のシート部材１３０に上端辺近傍固着部１５６に沿って一体的に連設され、且つその他方の端辺が他方のシート部材１４０に上端辺近傍固着部１５６に沿って一体的に連設された連設シート部材を有し、連設シート部材は、上端辺近傍固着部１５６に相対する折返し部を有し、折返し部は、圧縮袋１２０の左端辺１２０ａからの距離と右端辺１２０ｂからの距離が等しくなる部分に貫通孔１８０を有し、ハンガー３２０は、その軸部材３２２が、連設シート部材の折返し部と上端辺近傍固着部１５６との間に形成される空間に配設され、且つそのフック部材３３２が貫通孔１８０を通って圧縮袋１２０の外部に延びるように配設される。
【００４１】
なお、この実施の形態では、一方の逆流防止部４２０Ｌと他方の逆流防止部４２０Ｒの双方が配設される場合について説明した。しかしながら、この場合に限られず、一方の逆流防止部４２０Ｌまたは他方の逆流防止部４２０Ｒのいずれか一方のみが配設されるようにしてもよい。
【００４２】
＜変形例について＞
なお、上記した実施の形態では、形状維持手段が平面視略矩形状の布状部材２０で形成される場合について説明した。しかしながら、この場合に限られず、形状維持手段は、互いに相対する端縁を有する形状であれば、ひし形や他の多角形などその他の形状であってもよい。また、形状維持手段は、例えば、不織布や綿などのであってもよい。
【００４３】
また、上記した実施の形態では、形状維持手段の係合手段が、雌面ファスナー２２Ｌ，２２Ｒと雄面ファスナー２６Ｌ，２６Ｒ（すなわち、面ファスナー）である場合について説明した。しかしながら、この場合に限られず、互いに相対する端縁同士に亘って形成されたチャックまたはジッパーであってもよいし、その他の構成であってもよい。
【００４４】
また、上記した実施の形態では、圧縮袋１２０の開口部１６０の開閉手段が、開口ジッパー１６２である場合について説明した。しかしながら、この場合に限られず、開閉手段は、一方のシート部材１３０と他方のシート部材１４０とが密着することにより、開口部１６０を開閉できるその他の構造であってもよい。
【００４５】
また、上記した実施の形態では、圧縮袋１２０の開口部１６０が、下端辺１２０ｃに形成される場合について説明した。しかしながら、この場合に限られず、圧縮袋１２０の開口部１６０は、左端辺１２０ａまたは右端辺１２０ｂに形成されてもよい。こうすることにより、開口部１６０の寸法が大きくなるため、圧縮袋１２０に布団Ｆを出し入れし易くなる。なお、上記した他の実施の形態では、手などで押さえ付けた際に閉じた状態の開口部１６０が開いてしまうことを防止するため、開口部１６０は下端辺１２０ｃに形成されることが好ましい。
【００４６】
なお、上記した実施の形態では、圧縮袋１２０が、一方のシート部材１３０と他方のシート部材１４０が、左端辺固着部１５２、右端辺固着部１５４および上端辺固着部１５８により互いに固着される場合について説明した。しかしながら、この場合に限られず、例えば、一枚のシート部材を２つに折り畳むことにより互いに対向する一方のシート部材１３０と他方のシート部材１４０を形成してもよい。このとき、左端辺固着部１５２、右端辺固着部１５４および上端辺固着部１５８のいずれか一つは、一枚のシート部材を折り畳んだ部分である。
【００４７】
また、上記した実施の形態では、ハンガー３２０の軸部材３２２とフック部材３３２とが別部材である場合について説明した。しかしながら、この場合に限られず、軸部材３２２とフック部材３３２とが一体的に形成されてもよい。こうすることにより、ハンガー３２０の耐久性を向上させることができる。
【００４８】
以上のように、本考案の実施の形態は、前記記載で開示されているが、本考案は、これに限定されるものではない。
すなわち、本考案の技術的思想及び目的の範囲から逸脱することなく、以上説明した実施の形態に対し、機序、形状、材質、数量、位置又は配置等に関して、様々の変更を加えることができるものであり、それらは、本考案に含まれるものである。
【符号の説明】
【００４９】
１０  布団用圧縮収納具
２０  布状部材
２２Ｌ，２２Ｒ  雌面ファスナー
２４Ｌ，２４Ｒ  帯状部材
２６Ｌ，２６Ｒ  雄面ファスナー
１２０  圧縮袋
１２０ａ  左端辺
１２０ｂ  右端辺
１２０ｃ  下端辺
１２０ｄ  上端辺
１２２  吊下げ手段配設部
１３０  一方のシート部材
１４０  他方のシート部材
１５２  左端辺固着部
１５４  右端辺固着部
１５６  上端辺近傍固着部
１５８  上端辺固着部
１５９  ドット状固着部
１６０  開口部
１６２  開口ジッパー
１６４  雌ジッパー
１７４  雄ジッパー
１７８  スライダー
１８０  貫通孔
２２０  バルブ
２３０  下受け部材
２３２  排出口
２３３  排出口ジッパー
２３４  外側突部
２３６  弁軸嵌合部
２３８  下受け貫通孔
２４０  弁部材
２４２  弁天板
２４４  弁軸部
２５０  カバー部材
２５２  カバー貫通孔
３２０  ハンガー
３２２  軸部材
３２４  嵌合孔
３３２  フック部材
３３４  嵌合突部
４２０Ｌ  一方の逆流防止部
４２０Ｒ  他方の逆流防止部
Ｆ  布団
Ｐ  棒状部材
【図１】
0003198997.tif 000003
【図２】
0003198997.tif 000004
【図３】
0003198997.tif 000005
【図４】
0003198997.tif 000006
【図５】
0003198997.tif 000007
【図６】
0003198997.tif 000008
【図７】
0003198997.tif 000009
【図８】
0003198997.tif 000010
【図９】
0003198997.tif 000011
【図１０】
0003198997.tif 000012
【図１１】
0003198997.tif 000013
【図１２】
0003198997.tif 000014
【図１３】
0003198997.tif 000015
【図１４】
0003198997.tif 000016
【図１５】
0003198997.tif 000017
【図１６】
0003198997.tif 000018
【図１７】
0003198997.tif 000019
【図１８】
0003198997.tif 000020
【図１９】
0003198997.tif 000021
【図２０】
0003198997.tif 000022
【図２１】
0003198997.tif 000023